【手続補正書】
【提出日】令和3年5月11日(2021.5.11)
【手続補正１】
【補正対象書類名】特許請求の範囲
【補正対象項目名】全文
【補正方法】変更
【補正の内容】
【特許請求の範囲】
【請求項１】
装置ホルダであって、前記装置ホルダが、
（ａ）針ホルダであって、前記針ホルダが、開口近位端と遠位端の間に延在して、前記開口近位端を通って取り外し可能に生検装置の一部を収容するのに適している、細長いハウジングを含み、前記細長いハウジングが、前記針ホルダを前記生検装置に連結するように構成される連結器を含む、前記針ホルダと；
（ｂ）遠位ホルダであって、前記針ホルダの前記遠位端が、その内部に収容されるとき、前記針ホルダが、前記遠位ホルダに対して枢動するように動作可能であるように、前記遠位ホルダが、前記針ホルダの前記遠位端を旋回可能に収容するように構成される、開口部を含む、前記遠位ホルダと；
（ｃ）近位ホルダであって、前記生検装置が、長手方向で近位側に移動するとき、長手方向の止め具が、前記生検装置から前記針ホルダの前記連結器を分離するように構成されるように、前記近位ホルダが、前記針ホルダの一部と係合して、前記針ホルダの近位の長手方向への移動を防ぐ、前記長手方向の止め具を含む、前記近位ホルダと；を含む、前記装置ホルダ。
【請求項２】
前記遠位ホルダ及び前記近位ホルダが、制御モジュールカートに固定して取り付けられており、前記遠位ホルダ及び前記近位ホルダが、前記制御モジュールカートに対して分離した表面に沿って配置されるように、前記遠位ホルダ及び前記近位ホルダが、前記制御モジュールカートから吊り下げ位置まで延在する、請求項１に記載の装置ホルダ。
【請求項３】
前記生検装置の分離された部分を収容するように構成される、ホルスターホルダをさらに備える、請求項１に記載の装置ホルダ。
【請求項４】
前記ホルスターホルダが、前記近位ホルダまたは前記遠位ホルダの少なくとも一部と一体化して形成される、請求項３に記載の装置ホルダ。
【請求項５】
前記遠位ホルダ及び前記近位ホルダが、制御モジュールカートに対して、回転可能に旋回するように構成される、請求項１に記載の装置ホルダ。
【請求項６】
天板及び底板をさらに含み、前記天板が、前記底板の上方に配置されており、前記天板が、前記底板に対して枢動するように構成される、請求項１に記載の装置ホルダ。
【請求項７】
前記天板が、前記底板を係合するように構成される、ボールデテントを含む、請求項６に記載の装置ホルダ。
【請求項８】
前記底板がレールを含み、前記レールが、その内部にボールデテントを収容するように構成される、少なくとも２つの定着点を有する、請求項６に記載の装置ホルダ。
【請求項９】
前記天板が、前記底板を係合するように構成される、ボールデテントを含み、前記底板がレールを含み、前記レールが、その内部に前記ボールデテントを収容するように構成される、少なくとも２つの定着点を有し、前記ボールデテントが、前記少なくとも２つの定着点内にカチリと係合して、それにより、前記底板に対する配向に前記天板を固定するように構成される、請求項６に記載の装置ホルダ。
【請求項１０】
前記針ホルダがフランジを含み、前記フランジが、前記近位ホルダを係合するように構成されており、前記近位ホルダが収容部を含み、前記フランジが前記収容部内に収容されるとき、前記針ホルダが、前記近位ホルダに取り外し可能に係合されるように、前記収容部が、サイズ設定かつ成形されて、前記フランジを収容する、請求項１に記載の装置ホルダ。
【請求項１１】
前記長手方向の止め具が、前記近位ホルダに対して、前記針ホルダの横方向の移動を可能にして、前記針ホルダが、前記生検装置のプローブと共に取り外されるのを可能にするように構成される、請求項１に記載の装置ホルダ。
【請求項１２】
前記近位ホルダがチャネルを画定して、前記チャネルが、前記遠位ホルダの前記開口部に位置合わせした軸に沿って延在する、請求項１に記載の装置ホルダ。
【請求項１３】
前記近位ホルダがチャネルを画定して、前記チャネルが、前記遠位ホルダの前記開口部に位置合わせした軸に沿って延在し、前記近位ホルダがさらにウェルを画定して、前記ウェルが、近位部及び遠位部に前記チャネルを分離し、前記ウェルが、前記針ホルダの少なくとも一部を係合するように構成される、請求項１に記載の装置ホルダ。
【請求項１４】
前記近位ホルダがチャネルを画定して、前記チャネルが、前記遠位ホルダの前記開口部に位置合わせした軸に沿って延在し、前記近位ホルダの前記長手方向の止め具がウェルを画定して、前記ウェルが、近位部及び遠位部に前記チャネルを分離し、前記針ホルダがフランジを含み、前記ウェルが、前記針ホルダの前記フランジを係合するように構成される、請求項１に記載の装置ホルダ。
【請求項１５】
前記近位ホルダがチャネルを画定して、前記チャネルが、前記遠位ホルダの前記開口部に位置合わせした軸に沿って延在し、前記近位ホルダの前記長手方向の止め具が、リブを画定し、前記リブが、近位部及び遠位部に前記チャネルを分離し、前記針ホルダが、チャネルを含み、前記針ホルダが、前記リブに対して枢動して、前記チャネルを枢動させて前記リブと係合させるように構成される、請求項１に記載の装置ホルダ。
【請求項１６】
先端保護装置及び生検装置を保持するのに使用される装置ホルダであって、前記先端保護装置が前記生検装置の針を取り外し可能に収容するのに適し、前記装置ホルダが、
（ａ）遠位ホルダであって、前記先端保護装置の遠位端が、その内部に収容されるとき、前記先端保護装置が前記遠位ホルダに対して枢動するように動作可能であるように、前記遠位ホルダが、前記先端保護装置の前記遠位端を旋回可能に収容するように構成される、開口部を含む、前記遠位ホルダと；
（ｂ）近位ホルダであって、前記生検装置が、長手方向で近位側に移動するとき、長手方向の止め具が、前記生検装置から前記先端保護装置を分離するように構成されるように、前記近位ホルダが、前記先端保護装置の一部と係合して、前記先端保護装置の近位の長手方向への移動を防ぐ、前記長手方向の止め具を含む、前記近位ホルダと；を含む、前記装置ホルダ。
【請求項１７】
前記近位ホルダの前記長手方向の止め具が、前記近位ホルダの一部におけるｖ字型のくぼみによって画定されている、請求項１６に記載の装置ホルダ。
【請求項１８】
前記遠位ホルダ及び前記近位ホルダが共に、保持軸を画定し、前記保持軸が、３０°〜６０°の角度で配向されている、請求項１６に記載の装置ホルダ。
【請求項１９】
先端保護装置及び生検装置を保持するのに使用される装置であって、前記先端保護装置が前記生検装置の針を取り外し可能に収容するのに適し、前記装置が、
（ａ）前記先端保護装置の遠位端を旋回可能に収容するように構成された収容部を有する取付台であって、前記先端保護装置の前記遠位端が前記収容部に収容されると、前記先端保護装置が前記取付台に対して枢動するように動作可能である、前記取付台と；
（ｂ）前記取付台の近位に配向されたスタンドであって、前記先端保護装置の一部と係合して、前記先端保護装置の近位の長手方向への移動を防ぎ、それによって、前記生検装置が長手方向で近位側に移動するとき、前記生検装置から前記先端保護装置を分離するように構成されたウェルを含む、前記スタンドと；を含む、前記装置。
【請求項２０】
前記ウェルが、前記スタンドの一部におけるｖ字型の切り抜きによって形成されている、請求項１９に記載の装置。